(57)【要約】【課題】  画像のトリミング加工等、選択範囲となる境界枠を設定する際に、選択範囲の中心となる位置を設定することで、形成する境界枠の大きさや位置がイメージし易く、これにより当該境界枠の設定が迅速にできるようにした選択定規を提供する。【解決手段】  選択定規Ｓは、縦横の比が１：√２の矩形状の外形を有する透明薄板の定規本体５と、ハンドル６を備えている。定規本体５の表面には対角線５００、５０１が設けてある。対角線５００と対角線５０１が交差した部分は交点部５０２である。交点部５０２のやや下部側には定規本体５の表面から突出して、ハンドル６を設けるための連結ネジ５１が設けてある。【選択図】        図８
2005276020.tif 000002
【特許請求の範囲】
【請求項１】
画像処理ソフトウェアを使用して、表示する画像に矩形の選択範囲を設定する方法であって、
所要角度で交差した二本の直線とこの二本の直線が交差した交点部を画像上に表示し、次に表示している画像のうち選択する範囲の中心となる位置に交点部を移動させ、次に上記二本の直線のうちの任意の一本に選択範囲の境界を構成する一つの角を位置決めし、これによって交点部を中心として四方に延びる直線上の等距離の位置に矩形の四つの角が位置決めされるとともにこれらの角を結ぶ境界枠を形成することを特徴とする、
画像における選択範囲の設定方法。
【請求項２】
画像処理ソフトウェアを使用して、表示する画像に選択範囲を設定する方法であって、
所要角度で交差した複数本の直線とこの複数本の直線が交差した交点部を画像上に表示し、次に表示している画像のうち選択する範囲の中心となる位置に交点部を移動させ、次に上記複数本の直線のうちの任意の一本に選択範囲の境界を構成する一つの角を位置決めし、これによって交点部を中心として放射状に延びる直線上の等距離の位置に多角形の角が位置決めされるとともにこれらの角を結ぶ境界枠を形成することを特徴とする、
画像における選択範囲の設定方法。
【請求項３】
画像処理ソフトウェアを使用して、表示する画像に選択範囲を設定する方法であって、
所要角度で交差した二本の直線を画像上に表示し、選択範囲の中心とする位置に当該直線の交点部を移動させ、上記直線の任意の位置を選択して決めることにより、当該選択した位置と交点部からの距離を同じにする各直線の所要の位置を結んで選択範囲を決める矩形状の境界枠を形成することを特徴とする、
画像における選択範囲の設定方法。
【請求項４】
画像上に表示される交差した二本の直線は、縦横の比が１：√２の矩形、１：√３の矩形、１：２の矩形、１：√５の矩形、１：１の矩形、１：１．６の矩形または葉書の大きさの縦横の比を有する矩形の対角線となるような所要角度で交差していることを特徴とする、
請求項１または３記載の画像における選択範囲の設定方法。
【請求項５】
画像上に表示される交差した二本の直線は、交差角度が任意に設定できることを特徴とする、
請求項１または３記載の画像における選択範囲の設定方法。
【請求項６】
画像処理ソフトウェアを使用して、表示する画像に選択範囲を設定する方法であって、
選択範囲の中心とする位置を決めるための印を画像上に表示し、選択範囲の中心とする位置に当該印を移動させ、上記印以外の画像の任意の位置を選択して決めることにより、当該選択した位置が境界の一部を構成し、上記印が中心に位置するような選択範囲を決める矩形状の境界枠を形成することを特徴とする、
画像における選択範囲の設定方法。
【請求項７】
画像処理ソフトウェアを使用して、表示する画像に選択範囲を設定する際に、画面表面に当てて使用する選択定規であって、
透視性を有する矩形状の板状部材に対角線が設けてあることを特徴とする、
画像における選択範囲を決める選択定規。
【請求項８】
画像処理ソフトウェアを使用して、表示する画像に選択範囲を設定する際に、画面表面に当てて使用する選択定規であって、
透視性を有する板状部材に、矩形状の枠線と対角線が設けてあることを特徴とする、
画像における選択範囲を決める選択定規。
【請求項９】
対角線は、縦横の比が１：√２の矩形、１：√３の矩形、１：２の矩形、１：√５の矩形、１：１の矩形、１：１．６の矩形または葉書の大きさの縦横の比を有する矩形のものとなるような所要角度で交差していることを特徴とする、
請求項７または８記載の画像における選択範囲を決める選択定規。
【発明の詳細な説明】
【技術分野】
【０００１】
本発明は、画像処理ソフトウェアを使用して、表示する画像における選択範囲の設定方法及び選択定規に関する。
更に詳しくは、選択範囲となる境界枠を設定する際に、選択範囲の中心となる位置を設定することで、形成する境界枠の大きさや位置がイメージし易く、これにより当該境界枠の設定が迅速にできるようにしたものに関する。
【背景技術】
【０００２】
近年では従前からあるフィルムカメラに代わってデジタルカメラが主流になりつつある。デジタルカメラで撮影した画像は、画像処理ソフトウェアを使用することにより簡単に加工できる。
【０００３】
例えば、画像処理のひとつに「トリミング」といわれる、境界枠で囲まれた外の画像を取り除く（または、境界枠で囲まれた内の画像を切り抜く）加工がある。従来、上記ソフトウェアを使用したトリミング加工は、画面に画像を表示し、必要な部分が囲まれるよう選択範囲となる境界枠をその画像上に形成し、境界枠で囲まれた内の画像に対してトリミング制御をする命令を与えていた。上記した境界枠は、画像上の適当な位置でマウスをクリックし、そこから斜め方向にドラッグして任意の大きさの矩形枠をつくって形成される（図１１参照）。図１１は、マウスポインターを左上から右下に向かってドラッグして境界枠を形成する状態を示している。
【発明の開示】
【発明が解決しようとする課題】
【０００４】
しかし、上記した従来のトリミング方法には、次のような課題があった。
つまり、上記したトリミング方法では、必要な部分が囲まれるよう所要の位置からある位置にかけてドラッグすることにより、選択範囲となる境界枠の大きさや位置が、構図の中心を設定せずに、いわば感覚や勘で決められていた。そのため境界枠は、大きさや位置がイメージしたようには形成できなかった。従って、境界枠は、画像上に一旦決めた後に、縦方向や横方向の大きさを調整したり、移動させて位置を決め直したりすることがあり、設定の迅速さに欠けていた。
【０００５】
本発明の目的は、選択範囲となる境界枠の設定が迅速にできるようにした、画像における選択範囲の設定方法及び選択定規を提供することにある。
【０００６】
また、本発明の他の目的は、例えば、予め決められた縦横の比を有する矩形状の選択範囲である境界枠が形成できるようにする、画像における選択範囲の設定方法及び選択定規を提供することにある。
【課題を解決するための手段】
【０００７】
上記目的を達成するために本発明が講じた手段は次のとおりである。
第１の発明にあっては、
画像処理ソフトウェアを使用して、表示する画像に矩形の選択範囲を設定する方法であって、
所要角度で交差した二本の直線とこの二本の直線が交差した交点部を画像上に表示し、次に表示している画像のうち選択する範囲の中心となる位置に交点部を移動させ、次に上記二本の直線のうちの任意の一本に選択範囲の境界を構成する一つの角を位置決めし、これによって交点部を中心として四方に延びる直線上の等距離の位置に矩形の四つの角が位置決めされるとともにこれらの角を結ぶ境界枠を形成することを特徴とする、
画像における選択範囲の設定方法である。
【０００８】
第２の発明にあっては、
画像処理ソフトウェアを使用して、表示する画像に選択範囲を設定する方法であって、
所要角度で交差した複数本の直線とこの複数本の直線が交差した交点部を画像上に表示し、次に表示している画像のうち選択する範囲の中心となる位置に交点部を移動させ、次に上記複数本の直線のうちの任意の一本に選択範囲の境界を構成する一つの角を位置決めし、これによって交点部を中心として放射状に延びる直線上の等距離の位置に多角形の角が位置決めされるとともにこれらの角を結ぶ境界枠を形成することを特徴とする、
画像における選択範囲の設定方法である。
【０００９】
第３の発明にあっては、
画像処理ソフトウェアを使用して、表示する画像に選択範囲を設定する方法であって、
所要角度で交差した二本の直線を画像上に表示し、選択範囲の中心とする位置に当該直線の交点部を移動させ、上記直線の任意の位置を選択して決めることにより、当該選択した位置と交点部からの距離を同じにする各直線の所要の位置を結んで選択範囲を決める矩形状の境界枠を形成することを特徴とする、
画像における選択範囲の設定方法である。
【００１０】
第４の発明にあっては、
画像上に表示される交差した二本の直線は、縦横の比が１：√２の矩形、１：√３の矩形、１：２の矩形、１：√５の矩形、１：１の矩形、１：１．６の矩形または葉書の大きさの縦横の比を有する矩形の対角線となるような所要角度で交差していることを特徴とする、
第１または第３の発明に係る画像における選択範囲の設定方法である。
【００１１】
第５の発明にあっては、
画像上に表示される交差した二本の直線は、交差角度が任意に設定できることを特徴とする、
第１または第３の発明に係る画像における選択範囲の設定方法である。
【００１２】
第６の発明にあっては、
画像処理ソフトウェアを使用して、表示する画像に選択範囲を設定する方法であって、
選択範囲の中心とする位置を決めるための印を画像上に表示し、選択範囲の中心とする位置に当該印を移動させ、上記印以外の画像の任意の位置を選択して決めることにより、当該選択した位置が境界の一部を構成し、上記印が中心に位置するような選択範囲を決める矩形状の境界枠を形成することを特徴とする、
画像における選択範囲の設定方法である。
【００１３】
第７の発明にあっては、
画像処理ソフトウェアを使用して、表示する画像に選択範囲を設定する際に、画面表面に当てて使用する選択定規であって、
透視性を有する矩形状の板状部材に対角線が設けてあることを特徴とする、
画像における選択範囲を決める選択定規である。
【００１４】
第８の発明にあっては、
画像処理ソフトウェアを使用して、表示する画像に選択範囲を設定する際に、画面表面に当てて使用する選択定規であって、
透視性を有する板状部材に、矩形状の枠線と対角線が設けてあることを特徴とする、
画像における選択範囲を決める選択定規である。
【００１５】
第９の発明にあっては、
対角線は、縦横の比が１：√２の矩形、１：√３の矩形、１：２の矩形、１：√５の矩形、１：１の矩形、１：１．６の矩形または葉書の大きさの縦横の比を有する矩形のものとなるような所要角度で交差していることを特徴とする、
第７または第８の発明に係る画像における選択範囲を決める選択定規である。
【００１６】
本明細書及び特許請求の範囲において「透視性」という用語は、透明または半透明という概念を含むものとして使用している。
【００１７】
縦横の比が１：１．６の矩形とは、いわゆる黄金矩形を示すものである。
【００１８】
選択範囲は、効果が適用される領域を設定するものであり、例えば、境界枠で囲まれた内の画像をコピーしたり切り抜いたり、また、境界枠で囲まれた外の画像を取り除いたりする等の効果が適用される。
【００１９】
選択範囲は場合によっては、矩形状のものの他に、例えば、三角や五画等の多角形状、円形状、楕円形状、長円形状、卵形状、平行四辺形状、台形状のものを形成することもできる。
【００２０】
（作  用）
本発明に係る選択範囲の設定方法は、次の作用を説明する。
まず、画像処理ソフトウェアを使用して画像を表示する。画像上に所要角度で交差した二本の直線を表示する。直線の交点部を選択範囲の中心とする位置に移動する。その後、直線の任意の位置を選択して決める。こうして当該選択した位置と交点部からの距離を同じにする各直線の所要の位置を結んで選択範囲を決める矩形状の境界枠が形成される。
【００２１】
また、選択範囲の中心とする位置を決めるための印が画像上に表示可能なものは、次の作用を説明する。
画像処理ソフトウェアを使用して画像を表示する。画像上に選択範囲の中心とする位置を決めるための印を表示する。印を選択範囲の中心とする位置に移動する。その後、印以外の画像の任意の位置を選択して決める。こうして当該選択した位置が境界の一部を構成し、上記印が中心に位置するような選択範囲を決める矩形状の境界枠が形成される。
【００２２】
本発明に係る選択範囲を決める選択定規は、次の作用を説明する。
まず、画像処理ソフトウェアを使用して画像を表示する。そして画面表面に選択定規を当てる。選択定規は透視性を有するので、画像を透して対角線の交点部を選択範囲の中心とする位置に配置するよう当てる。その後、対角線を構成する直線の任意の位置をクリックし、上記交点部が選択範囲の中央に位置するような箇所まで当該直線に沿ってドラッグする。こうして選択範囲を決める矩形状の境界枠が形成される。
【００２３】
二本の直線または対角線が、縦横の比が１：√２の矩形、１：√３の矩形、１：２の矩形、１：√５の矩形、１：１の矩形、１：１．６の矩形または葉書の大きさの縦横の比を有する矩形の対角線となる所要角度で交差しているものは、選択範囲となる境界枠も上記矩形と同じ形状になる。
【発明の効果】
【００２４】
本発明は上記構成を備え、次の効果を有する。
（ａ）本発明に係る選択範囲の設定方法によれば、交点部または印により選択範囲の中心位置を決め、その後に選択範囲の大きさを決めるので、設定した状態の選択範囲がイメージし易い。また、本発明に係る選択範囲を決める選択定規によれば、対角線の交点部を選択範囲の中心とする位置に配置するよう当てて、上記交点部が選択範囲の中央に位置するような箇所まで当該直線に沿ってドラッグすることにより選択範囲を決めるので、設定した状態の選択範囲がイメージし易い。従って、選択範囲を設定した後に大きさを調整したり、移動して構図を決め直したりすることが少なく、選択範囲の迅速な設定が可能である。
【００２５】
（ｂ）二本の直線または対角線が、縦横の比が１：√２の矩形、１：√３の矩形、１：２の矩形、１：√５の矩形、１：１の矩形、１：１．６の矩形または葉書の大きさの縦横の比を有する矩形の対角線となる所要角度で交差しているものは、選択範囲となる境界枠も上記矩形と同じ形状にできる。これにより本発明によれば、選択範囲を予め決めた縦横の比を有する矩形状にすることができる。従って、例えば、選択範囲を縦横の比が１：√２の矩形状にした場合では、縦か横の少なくとも一方の縮尺を合わせるだけで、ＪＩＳ規格で決められたＡ列やＢ列の用紙に適した状態で印刷等することができる。
【発明を実施するための最良の形態】
【００２６】
本発明の実施の形態を図面に基づき更に詳細に説明する。
図１は画像における選択範囲の設定方法の一実施の形態を示すものであって、画像処理ソフトウェアを使用して表示した画像上に、所要角度で交差した交差線を表示した状態の説明図、
図２は図１に示す交差線の交点部を選択範囲の中心となる位置に移動させた状態の説明図、
図３は図２に示す交差線の所要位置を選択して境界枠を決めた状態の説明図、
図４は境界枠で囲まれた外の画像を取り除いた後の状態を示す説明図である。
【００２７】
本実施の形態で示す画像処理ソフトウェアの概要を説明する。
画像処理ソフトウェアは、画面上の画像表示部１０に画像Ｇを表示する。選択範囲を設ける際に画像表示部１０には、所要角度で交差した二本の直線２００，２０１からなる交差線２０が表示される。交差線２０を構成する直線２００と直線２０１は、縦横の比が１：√２の矩形の対角線となるような角度でもって交差している。図１において直線２００、２０１は破線で示している。なお、図１では画像表示部１０も縦横の比が１：√２の矩形状を有している。
【００２８】
直線２００、２０１が交差した部分は交点部２０２であり、交点部２０２は画像における選択範囲の中心位置を決めるときの基準点として利用される。交差線２０は、交点部２０２にマウスポインター３０を合わせて画面上をドラッグすることで、所定の交差角度を保ったまま画像表示部１０内で移動できる。
【００２９】
交差線２０は画像表示部１０に表示後、直線２００，２０１上の任意の位置をクリック（選択）することにより、クリックした位置と交点部２０２からの距離を同じにする各直線２００，２０１の所要の位置を結んで矩形状の境界枠２０３を構成する。境界枠２０３で囲まれた部分が選択範囲となる。
【００３０】
（作  用）
図１ないし図４を参照し、選択範囲である境界枠を用いて、この境界枠で囲まれた外の画像を取り除く方法（トリミング方法）について説明する。
【００３１】
まず、画像処理ソフトウェアを起動させて、画像表示部１０に画像Ｇを表示する。
次に、画像Ｇにおける選択範囲を決めるべく、画像表示部１０に交差線２０を表示する（図１参照）。本実施の形態では境界枠２０３で囲まれた外の画像を取り除くので、交差線２０は、画像処理ソフトウェアのトリミングツールを選択することで画像表示部１０に表示されるよう設定してある。交差線２０は、初期状態で交点部２０２が画像表示部１０の中心に表示される。
【００３２】
交差線２０の交点部２０２にマウスポインター３０を合わせてドラッグし、交点部２０２が選択範囲の中心となる位置、つまり、トリミングにより残る画像の中心となる位置に配置されるよう交差線２０を移動する（図２参照）。本実施の形態では子供１００が選択範囲の中心となるよう移動している。
【００３３】
境界枠２０３の大きさ（選択範囲）を決めるべく、交差線２０を構成する直線２００，２０１上の任意の位置をクリックする（図３参照）。図３では直線２０１の符号２０４の位置をクリックすることにより、クリックした位置と交点部２０２からの距離を同じにする各直線２００，２０１の符号２０５，２０６，２０７の位置を結んで縦横の比が１：√２の矩形状の境界枠２０３が形成される。そして境界枠２０３で囲まれた外の画像を取り除く（図４参照）。図３において境界枠２０３は二点鎖線で示している。
【００３４】
本実施の形態で示す画像のトリミング方法によれば、まず、交差線２０を動かして交点部２０２により選択範囲の中心位置を決め、その後に選択範囲の大きさを決めるので、設定した状態の選択範囲がイメージし易い。そのため選択範囲を設定した後に大きさを調整したり、移動して構図を決め直したりすることが少なく、選択範囲の迅速な設定が可能である。また、トリミングの作業も、構図の中心位置を決めるステップと、選択範囲の大きさを決めるステップだけで完了するので簡単であり、失敗も少ない。
【００３５】
また、本実施の形態で示すトリミング方法によれば、交差線２０の直線２００，２０１が１：√２の矩形の対角線となるような角度でもって交差するよう設定してあるので、境界枠２０３やトリミングされて残った画像も外枠形状が１：√２の矩形状になる。
【００３６】
本実施の形態で境界線２０３を、縦横の比が１：√２の矩形状にしたのは、ＪＩＳ規格で決められたＡ列やＢ列の用紙サイズが、これと同じ縦横の比が１：√２の矩形状を有しているからである。従って、トリミングにより残った画像はＪＩＳ規格で決められたＡ列やＢ列と相似形状を有している。これによりこれらの用紙に印刷等する場合では、縦か横の少なくとも一方の縮尺を合わせるだけで、上記した規格用紙に適した状態で表すことができる。
【００３７】
図５は画像における選択範囲の設定方法の他の実施の形態を示すものであって、画像処理ソフトウェアを使用して表示した画像上に、選択範囲の中心位置を決めるマークを表示した状態の説明図、
図６は図５に示す状態からマークを選択範囲の中心となる位置に移動させた状態の説明図、
図７は図６に示す状態から画像の所要位置を選択して、選択範囲となる境界枠を決めた状態の説明図である。
なお、図５ないし図７において、上記図１ないし図４で示したものと同一または同等箇所には同一の符号を付して示している。また、以下の説明において構造について上記で示した箇所と重複する説明は、必要な事項を除き省略する。
【００３８】
本実施の形態で示す画像処理ソフトウェアは、選択範囲を設ける際に画像表示部１０に、丸状（○状）のマーク４０が表示される。マーク４０は、選択範囲の中心位置を決めるときの基準点として利用される。マーク４０は、画面上をドラッグすることで画像表示部１０内で移動できる。画像表示部１０には、マーク４０を表示した後にこのマーク４０の上下方向または横方向にあたる画像Ｇの所要の位置をクリックすることにより、マーク４０を中心となり、クリックした位置が枠の一部を構成する縦横の比が１：√２の矩形状を有する境界枠４００が表示される。例えば具体的に言えば、マーク４０から１０ｃｍ離れた左横方向の位置をクリックした場合では、マーク４０を中心とする横幅２０ｃｍの１：√２の矩形状の境界枠が表示される。
【００３９】
（作  用）
図５ないし図７を参照し、選択範囲である境界枠を用いて、この境界枠で囲まれた外の画像を取り除く方法（トリミング方法）について説明する。
なお、上記した実施の形態と共通する構成により生じる同様の作用、効果については説明を省略し、相違する点についてのみ説明する。
【００４０】
画像表示部１０に画像Ｇを表示した後、画像Ｇにおける選択範囲を決めるべく、画像表示部１０にマーク４０を表示する（図５参照）。本実施の形態では境界枠４００で囲まれた外の画像を取り除くので、マーク４０は画像処理ソフトウェアのトリミングツールを選択することで画像表示部１０に表示されるよう設定してある。マーク４０は初期状態で画像表示部１０の中心に表示される。
【００４１】
マーク４０にマウスポインター３０を合わせてドラッグし、このマーク４０が選択範囲の中心となる位置、つまり、トリミングにより残る画像の中心となる位置に配置されるようマーク４０を移動する（図６参照）。本実施の形態では子供１００が選択範囲の中心となるよう移動している。
【００４２】
境界枠４００の大きさ（選択範囲）を決めるべく、マーク４０の上下方向または横方向にあたる画像Ｇの任意の位置をクリックする（図７では左横方向の部分をクリックしている）。任意の位置をクリックすることにより、クリックした位置が枠の一部を構成する縦横の比が１：√２の矩形状の境界枠４００が形成される。そして境界枠４００で囲まれた外の画像を取り除く。図７において境界枠４００は二点鎖線で示している。
【００４３】
本実施の形態で示す画像のトリミング方法によれば、マーク４０を動かして選択範囲の中心位置を決め、その後に選択範囲の大きさを決めるので、設定した状態の選択範囲がイメージし易い。
【００４４】
また、本実施の形態で示すトリミング方法によれば、マーク４０の位置を決めた後に、任意の位置をクリックすることにより、クリックした位置が枠の一部を構成する縦横の比が１：√２の矩形状の境界枠４００が形成されるよう設定してあるので、トリミングされて残った画像も外枠形状が１：√２の矩形状になる。
【００４５】
図８は画像における選択範囲を決める選択定規の一実施の形態を示す斜視説明図である。
選択定規Ｓは、縦横の比が１：√２の矩形外形を有する合成樹脂製の透明薄板で形成してある定規本体５と、定規本体５を支持するハンドル６を備えている。
【００４６】
定規本体５の表面には対角線５００、５０１が設けてある。対角線５００と対角線５０１が交差した部分は交点部５０２である。交点部５０２よりやや下部側には、定規本体５の表面から突出して、ハンドル６を設けるための連結ネジ５１が設けてある。
【００４７】
また、定規本体５の表面下部の一辺側には、定規本体５の左辺と上辺と右辺の三辺の外縁部と共に葉書の縦横比を有する矩形を構成する破線状の直線５０３が設けてある。この直線５０３の両端と定規本体５の上部の角部との間には、これらを頂点とする二本の破線状の対角線５０４、５０５が設けてある。対角線５０４と対角線５０５が交差した部分は交点部５０６である。
【００４８】
ハンドル６は、下端部に設けてある把持部６０と、所要長さを有し合成樹脂製の透明薄板で形成してある柄部６１を備えている。柄部６１の先端側には、上記した連結ネジ５１を通して設けるための貫通孔（図では見えない）が形成してある。
ハンドル６は、貫通孔に連結ネジ５１を通して、突出した部分に蝶ねじ６２を螺合することで定規本体５と連結してある。
定規本体５は、連結ネジ５１に螺合した蝶ねじ６２を緩めることで周方向に回転可能であり、蝶ねじ６２を締めることで固定できる。
【００４９】
（作  用）
図９は図８に示す選択定規を画面に表示した画像上に当てて使用する状態を示す説明図、
図１０は選択定規を使用して境界枠で囲まれた外の画像を取り除いた後の状態を示す説明図である。
図８ないし図１０を参照して選択定規Ｓの使い方を説明する。
選択定規Ｓは、画像を画面上に表示する画像処理ソフトウェア（上記実施の形態参照）と共に使用され、画像の所要部分に縦横の比が１：√２または葉書の矩形状の境界枠を決める際に使用するものである。本実施の形態では境界枠で囲まれた外の画像を取り除く場合について説明する。
【００５０】
選択定規Ｓは、定規本体５を回転させてハンドル６に対し横長の状態にして固定しておく。
画像処理ソフトウェアを起動させて、画像表示部１０に画像Ｇを表示する。
【００５１】
ハンドル６を持ち、選択定規Ｓの定規本体５を画面に表示した画像Ｇ上に当てて、交点部５０２を選択範囲の中心となる位置、つまり、トリミングにより残る画像の中心となる位置に配置する（図９参照）。本実施の形態では子供１００が選択範囲の中心となるよう配置している。
【００５２】
境界枠で囲んだ外の画像を取り除くので、画像処理ソフトウェアのトリミングツールを選択する。
境界枠の大きさ（選択範囲）を決めるべく、交点部５０２より上の部分の対角線５０１の任意の位置に目標を目視にて設定する。そして、この目標とした対角線５０１上をクリックして、交点部５０２がトリミングにより残る画像の中心となるような位置まで対角線５０１に沿ってドラッグする。こうして交点部５０２が略中心となり、対角線５００，５０１が対角線となるよう選択範囲が形成される。そして境界枠で囲まれた外の画像を取り除く（図１０参照）。
【００５３】
このように本実施の形態で示す選択定規Ｓによれば、交点部５０２をトリミングにより残る画像の中心に位置するように定規本体５を画面Ｇに表示した画像上に当てて、マウスポインター３０を対角線５０１に沿わせてドラッグすることで、画像表示部１０に所要の大きさの１：√２の矩形状の境界枠が形成できる。つまり、設定した状態の選択範囲がイメージし易い。そのため選択範囲を設定した後に大きさを調整したり、移動して構図を決め直したりすることが少なく、選択範囲の迅速な設定が可能である。また、トリミングの作業も、選択定規Ｓにより構図の中心位置を決めるステップと、選択範囲の大きさを決めるステップだけで完了するので簡単であり、失敗も少ない。
【００５４】
また、選択定規Ｓは、画像表示部１０を備える画像処理ソフトウェアであれば使用できる。そのため従来からあるソフトウェアでも使用できる。
【００５５】
本実施の形態では選択定規Ｓを使用して、縦横の比が１：√２の矩形状の境界枠を設ける場合について説明したが、これは選択定規Ｓでトリミングすることができる形状を限定するものではない。選択定規Ｓでは、破線状の対角線５０４、５０５を使用することで葉書の縦横比を有する矩形状にトリミングすることもできる。従って、トリミングにより残った画像を印刷等する場合では、縦か横の少なくとも一方の縮尺を合わせるだけで、規格用紙や葉書に適した状態で表すことができる。
【００５６】
上記した実施の形態において、画像表示部１０に表示される交差線２０や、画像表示部１０に当てる定規本体５は、横長の状態にした場合について説明したが、これは限定するものではなく、例えば、９０度回転させて縦長の状態にして使用することもできる。
【００５７】
また、上記した各実施の形態において、交差線２０は縦横の比が１：√２の矩形の対角線となるような角度でもって交差するものを示し、定規本体５は縦横の比が１：√２の矩形外形を有するものを示したが、これは限定するものではない。例えば、交差線は、縦横の比が１：√３、１：２、１：√５、１：１、１：１．６（いわゆる黄金矩形）等の対角線となるような角度で交差するように示すこともできるし、定規本体は外形状を縦横の比が１：√３、１：２、１：√５、１：１、１：１．６矩形等にすることもできる。また、定規本体の場合は、外形状に関わらず、縦横の比が１：√２、１：√３、１：２、１：√５、１：１、１：１．６矩形等の枠線を表示して同等の作用を奏するようにすることもできる。更に、交差線は、数値を入力して任意の矩形状の対角線となるような角度に設定することもできる。
【００５８】
本明細書で使用している用語と表現は、あくまでも説明上のものであって、なんら限定的なものではなく、本明細書に記述された特徴およびその一部と等価の用語や表現を除外する意図はない。また、本発明の技術思想の範囲内で、種々の変形態様が可能であるということは言うまでもない。
【図面の簡単な説明】
【００５９】
【図１】画像における選択範囲の設定方法の一実施の形態を示すものであって、画像処理ソフトウェアを使用して表示した画像上に、所要角度で交差した交差線を表示した状態の説明図。
【図２】図１に示す交差線の交点部を選択範囲の中心となる位置に移動させた状態の説明図。
【図３】図２に示す交差線の所要位置を選択して境界枠を決めた状態の説明図。
【図４】境界枠で囲まれた外の画像を取り除いた後の状態を示す説明図。
【図５】画像における選択範囲の設定方法の他の実施の形態を示すものであって、画像処理ソフトウェアを使用して表示した画像上に、選択範囲の中心位置を決めるマークを表示した状態の説明図。
【図６】図５に示す状態からマークを選択範囲の中心となる位置に移動させた状態の説明図。
【図７】図６に示す状態から画像の所要位置を選択して、選択範囲となる境界枠を決めた状態の説明図。
【図８】画像における選択範囲を決める選択定規の一実施の形態を示す斜視説明図。
【図９】図８に示す選択定規を画面に表示した画像上に当てて使用する状態を示す説明図。
【図１０】選択定規を使用して境界枠で囲まれた外の画像を取り除いた後の状態を示す説明図。
【図１１】従来の画像処理ソフトウェアにおいて画像に選択範囲を形成する状態を示す説明図。
【符号の説明】
【００６０】
Ｇ  画像
１０  画像表示部
２０  交差線
２００，２０１  直線
２０２  交点部
２０３  境界枠
３０  マウスポインター
４０  マーク
４００  境界枠
Ｓ  選択定規
５  定規本体
５００，５０１  対角線
５０２  交点部
５０３  直線
５０４、５０５  対角線
５０６  交点部
５１  連結ネジ
６  ハンドル
６０  把持部
６１  柄部
６２  蝶ねじ
【図１】
2005276020.tif 000003
【図２】
2005276020.tif 000004
【図３】
2005276020.tif 000005
【図４】
2005276020.tif 000006
【図５】
2005276020.tif 000007
【図６】
2005276020.tif 000008
【図７】
2005276020.tif 000009
【図８】
2005276020.tif 000010
【図９】
2005276020.tif 000011
【図１０】
2005276020.tif 000012
【図１１】
2005276020.tif 000013